(57)【要約】本発明は、第１の無線セル（Ｃ１）において音声および／またはデータ情報がコネクションオリエンテッドに無線インタフェースを介して伝達される、無線通信システムにおける緊急呼び出しメッセージの伝達方法に関する。第２の無線セル（Ｃ２）において音声および／またはデータ情報は専らパケットオリエンテッドに無線インタフェースを介して伝達される。緊急呼び出しが第１の無線セル（Ｃ１）の加入者（ＴＳ１）から出る場合、該加入者と緊急呼び出しセンター（ＥＣ）との間で音声および／またはデータコネクションが確立される。第２の無線セル（Ｃ２）の加入者（ＴＳ２）から出る緊急呼び出しにおいて、該無線セル（Ｃ２）を特徴付ける少なくとも１つの緊急呼び出し情報が緊急呼び出しセンター（ＥＣ）に伝達される。
2004505574.tif 000002
【特許請求の範囲】
【請求項１】
無線通信システムにおける緊急呼び出しメッセージの伝達方法であって、
第１の無線セル（Ｃ１）において音声および／またはデータ情報をコネクションオリエンテッドに無線インタフェースを介して伝達し、
第２の無線セル（Ｃ２）において音声および／またはデータ情報を専らパケットオリエンテッドに無線インタフェースを介して伝達し、
緊急呼び出しが第１の無線セル（Ｃ１）の加入者（ＴＳ１）から出る場合、該加入者と緊急呼び出しセンター（ＥＣ）との間に音声および／またはデータコネクションを確立し、
緊急呼び出しが第２の無線セル（Ｃ２）の加入者（ＴＳ２）から出る場合、該無線セル（Ｃ２）を特徴付ける少なくとも１つの緊急呼び出し情報を緊急呼び出しセンター（ＥＣ）に伝達する
無線通信システムにおける緊急呼び出しメッセージの伝達方法。
【請求項２】
第２の無線セル（Ｃ２）を特徴付ける緊急呼び出し情報を少なくとも部分的にパケットオリエンテッドに緊急呼び出しセンター（ＥＣ）に伝達する
請求項１記載の方法。
【請求項３】
第２の無線セル（Ｃ２）を特徴付ける緊急呼び出し情報をパケットオリエンテッド伝達のためのネットワーク（ＰＤＮ）を介して緊急呼び出しセンター（ＥＣ）に伝達する
請求項１または２記載の方法。
【請求項４】
緊急呼び出し情報によって、緊急呼び出しが信号報知される出所である、加入者（ＴＳ２）の位置が、第２の無線セル（Ｃ２）内で表されるようになっている
請求項１から３までのいずれか１項記載の方法。
【請求項５】
ネット側において、緊急呼び出しが信号報知される出所である、加入者（ＴＳ２）の位置に関する情報を生成しかつ緊急呼び出し情報に付加する
請求項４記載の方法。
【請求項６】
加入者側において、緊急呼び出しが信号報知される出所である、加入者（ＴＳ２）の位置に関する情報を生成しかつ緊急呼び出し情報に付加する
請求項４記載の方法。
【請求項７】
緊急呼び出し情報によって、緊急呼び出しが信号報知される出所である加入者（ＴＳ２）を識別するためのデータを表す
請求項１から６までのいずれか１項記載の方法。
【請求項８】
第２の無線セル（Ｃ２）の加入者（ＴＳ２）から出る緊急呼び出し情報の場合、送信機側で記録された音声情報をパケットオリエンテッドに無線インターフェースを介して伝送し、
該音声情報をパケットオリエンテッドプロトコルに従ったデータからコネクションオリエンテッドプロトコルに従ったデータに変換するためのインターフェース（ＧＭＳＣ）を介して伝達しかつそこから緊急呼び出しセンター（ＥＣ）に伝達する
請求項１から７までのいずれか１項記載の方法。
【請求項９】
第２の無線セル（Ｃ２）の加入者（ＴＳ２）から出る緊急呼び出し情報の場合、受信側で記録された音声情報を緊急呼び出しセンター（ＥＣ）からコネクションオリエンテッドプロトコルに従ったデータからパケットオリエンテッドに従ったデータに変換するためのインターフェース（ＧＭＳＣ）に伝達しかつそこから無線インターフェースを介して加入者（ＴＳ２）において再生されるように伝達する
請求項８記載の方法。
【請求項１０】
第２の無線セル（Ｃ２）の加入者（ＴＳ２）から出る緊急呼び出し情報の場合、送信機側で記録された音声情報をパケットデータのシーケンスに変換し、かつ
パケットデータのシーケンスを単方向のコネクションを介して緊急呼び出しセンターに伝達する
請求項１から７までのいずれか１項記載の方法。
【請求項１１】
第２の無線セル（Ｃ２）の加入者（ＴＳ２）から出る緊急呼び出し情報の場合、加入者（ＴＳ２）に、パケットオリエンテッドサービスだけが使用可能であることを信号報知する
請求項１から１０までのいずれか１項記載の方法。
【請求項１２】
第２の無線セル（Ｃ２）を特徴付ける緊急呼び出し情報および／または加入者側で記録された音声情報を含んでいる緊急呼び出しデータパケットに、高められた伝達優先順位を割り当てる
請求項１から１１までのいずれか１項記載の方法。
【発明の詳細な説明】
【０００１】
これまで緊急呼び出しメッセージは、コネクションオリエンテッドサービスを使用することができる無線セルからしか送出することができない。１９９９年８月２４日から２７日までの ＥＴＳＩ ＳＭＧ２ ＥＤＧＥ ワークショップにおいてパリで紹介されたドキュメント（Ｔｄｏｃ ＳＭＧ２ ＥＤＧＥ ２９８／９９）は無線通信システムの種々の領域からの緊急呼び出しメッセージの送出に関し、ここでいくつかの無線セル（ゾーン）においてはパケットオリエンテッドサービスだけまたはコネクションオリエンテッドサービスだけを使用することができ、これに対して別の無線セルではパケットオリエンテッドサービスもコネクションオリエンテッドサービスも使用できるようになっている。このドキュメントにおいて、パケットオリエンテッドサービスしか有していない無線セルから加入者によって緊急呼び出しメッセージが送出されるべき場合にはこれらの加入者に対して、当該加入者をコネクションオリエンテッドサービスを有している無線セルに割り当てることを目的としてハンドオーバ過程を開始することが提案される。
【０００２】
ハンドオーバ過程を迅速にするために、章１１．２．１９、第１６０頁において、本来選択された無線セルではコネクションオリエンテッドサービスが使用することができないことをシグナリングチャネルを介して加入者に通報することが要求される。この形式のメッセージは、例えば隣接する無線セルの１つにおいてコネクションオリエンテッドサービスを使用することができかつこれら無線セルがハンドオーバ過程によって選択される場合には極めて有利である。しかし問題になっている無線セルのいずれもコネクションオリエンテッドサービスを使用することができない場合には、この形式の手法では著しい問題が生じる。
【０００３】
本発明の課題は、コネクションオリエンテッドサービスを使用することができない無線セルの加入者から出ている緊急呼び出しメッセージの伝達方法を提供することである。
【０００４】
本発明によればこの課題は請求項１の特徴部分に記載の構成によって解決される。本発明の方法の有利な実施形態は従属請求項２ないし１２に記載されている。
【０００５】
本発明の方法の重要な側面は、音声ないしデータ情報が専らパケットオリエンテッドに無線インターフェースを介して伝達される無線セルの加入者から緊急呼び出しが出ている場合に、緊急呼び出しセンターに、コネクションオリエンテッドサービスを行うことができない無線セルにおいて、緊急呼び出しセンターに対するコネクションを確立しようと試みが行われたことを信号報知する点にある。緊急呼び出しの信号報知の際、例えば所在場所に関するできるだけ内容豊かな情報または緊急呼び出しを伝達するユーザのアイデェンティティを捕捉しかつ緊急呼び出しセンターに伝達することが肝心である。すなわち、この意味における最低限の要求は緊急呼び出しを送出するユーザの無線セルを特徴付ける情報を伝達することである。本発明の方法の有利な改良形態によれば、付加的に、当該加入者から緊急呼び出しセンターに向けられている単方向の音声情報交換が行われる。
【０００６】
次に本発明を図示の実施例に基づいて詳細に説明する。その際：
図１は、コネクションオリエンテッドサービスだけが使用できる従来の無線システムを緊急呼び出しセンターと一緒に示しており、
図２は、コネクションオリエンテッドサービスおよびパケットオリエンテッドサービスが使用できる無線システムを緊急呼び出しセンターと一緒に示している。
【０００７】
図１に示されている無線通信システムの構成は周知のＧＳＭ移動無線網の構成に相応している。つまりそれはコネクションオリエンテッドサービスに対する多数の移動交換装置ＭＳＣを有しており、これらは相互にネットワーク化されておりかつ固定網ＰＳＴＮまたは外部の無線通信網ＰＬＭＮに対するアクセスを可能にしている。移動交換装置ＭＳＣは直接または固定網ＰＳＴＮを介して間接的に緊急呼び出しセンターＥＣに接続されている。移動交換装置ＭＳＣと緊急呼び出しセンターＥＣとの、外部の無線通信網ＰＬＭＮを介する接続も可能である。
【０００８】
更に、移動交換装置ＭＳＣは少なくとも基地局コントローラＢＳＣと接続されている。それぞれの基地局コントローラＢＳＣによって少なくとも１つの基地局トランシーバステーションＢＴＳに対する接続が可能になる。基地局コントローラＢＳＣおよび配属されている基地局トランシーバステーションＢＴＳは基地局サブシステムＢＳＳにまとめられる。基地局トランシーバステーションＢＴＳは無線インターフェースを介して加入者ＴＳに対して単方向または双方向の音声ないしデータコネクションを確立することができる。無線インターフェースでは複数の無線チャネルＣＨ１ないしＣＨｎが無線セルＣ内で音声ないしデータ情報のコネクションオリエンテッド送出を行うことができる。
【０００９】
助けを求める者ＨＣが加入者ＴＳを介して緊急呼び出しを送出すると、助けを求める者ＨＣと緊急呼び出しセンターＥＣとの間のコネクション確立に対しては数多くの簡略化が行われる。それには例えばコネクション確立の一層高い優先的な取り扱い、ＳＩＭ（Ｓｕｂｓｃｒｉｂｅｒ Ｉｄｅｎｔｉｆｉｃａｔｉｏｎ Ｍｏｄｕｌｅ）に記憶されている、ネットワークまたはサービスアクセス権利の付与に対する情報のチェックの断念または端末機識別に依存している、アクセス権利の停止の断念がある。
【００１０】
図２に図示の無線通信システムではコネクションオリエンテッドサービスの他に、パケットオリエンテッドサービスも行うことができるようになっている。パケットオリエンテッドサービスの適用領域は主に、データ情報の伝達によって生じるものであり、一方コネクションオリエンテッドサービスはとりわけ音声情報の伝送のために設定されている。
【００１１】
例えばＧＳＭ移動無線システムにおいてパケットオリエンテッドサービスはＧＰＲＳ（Ｇｅｎｅｒａｌ Ｐａｃｋｅｔ Ｒａｄｉｏ Ｓｅｒｖｉｃｅｓ）によって用意される。ＧＰＲＳは１８２ｋｂ／ｓの地上のデータ伝送を可能にする。実際には、１５０ないし１７０ｋｂ／ｓのデータ伝送レートを期待することができる。図１で既に説明した構成要素の他に、図２に図示されている無線通信システムはパケットオリエンテッドサービスに対して固有に二、三の付加的な構成要素を有している。すなわちパケットオリエンテッドサービスに対して、ルータＳＧＳＮ（Ｓｅｒｖｉｎｇ ＧＰＲＳ Ｓｕｐｐｏｒｔ Ｎｏｄｅ）およびゲートウェイＧＧＳＮ（Ｇａｔｅｗａｙ ＧＰＲＳ Ｓｕｐｐｏｒｔ Ｎｏｄｅ）を介するパケットデータ網ＰＤＮ（Ｐａｃｋｅｔ Ｄａｔａ Ｎｅｔｗｏｒｋ）に対する基地局コントローラＢＳＣの結合が設定されている。ルータＳＧＳＮは更に別のゲートウェイＧＭＳＣを介して移動交換局ＭＳＣに結合されている。
【００１２】
緊急呼び出しセンターＥＣを無線通信システムに結合するためには図２に示されているように複数の可能性がある。１つは、図１に示されている無線通信システムの場合のように移動交換装置ＭＳＣが直接かまたは固定網ＰＳＴＮを介して間接的に緊急呼び出しセンターＥＣに接続されるようにすることができる。図１と類似して、移動交換装置ＭＳＣと緊急呼び出しセンターＥＣとの間の接続は外部の無線通信網ＰＬＭＮを介しても可能である。これに対して付加的に、緊急呼び出しセンターＥＣを直接パケットデータ網ＰＤＮに結合することもできる。この場合緊急呼び出しセンターＥＣはパケットデータをアナログ音声情報に変換することができるパケットデータ処理端末機を備えているとよい。
【００１３】
ネットワーク計画による要求に応じて、いくつかの無線セルにおいてコネクションオリエンテッドサービスだけまたはパケットオリエンテッドサービスだけを使用することができかつ別の無線セルにおいてはコネクションオリエンテッドサービスもパケットオリエンテッドサービスも使用することができるシナリオが可能である。すなわち、選択された無線セルにおいてパケットオリエンテッドサービスしか行うことができないこともあるということは考慮されなければならない。図２において、第１の無線セルＣ１における音声ないしデータ情報はコネクションまたはパケットオリエンテッドに無線インターフェースを介して伝送することができるが、一方第２の無線セルにおいてはパケットオリエンテッドサービスしか行うことができないというシナリオが考察される。
【００１４】
本発明の方法によれば、緊急呼び出しが第１の助けを求める人ＨＣ１の加入者ＴＳ１から送出される場合、音声ないしデータコネクションは第１の無線セルＣ１において使用することができる１つまたは複数の無線チャネルＣＤＣＨ１ないしＣＤＣＨｎを介して緊急呼び出しセンターＥＣに対するコネクションオリエンテッドサービスのために確立される。緊急呼び出しが第２の助けを求める人ＨＣ２の加入者ＴＳ２から送出される場合、無線セルＣ２を特徴付ける少なくとも１つの緊急呼び出し情報が緊急呼び出しセンターＥＣに伝達される。
【００１５】
緊急呼び出し情報は例えば、少なくとも部分的にパケットオリエンテッドで無線チャネルＣＤＣＨ１ないしＣＤＣＨｎ、基地局トランシーバステーションＢＴＳ、基地局コントローラＢＳＣ、ルーターＳＧＳＮ、ゲートウェイＧＭＳＣおよび移動交換装置ＭＳＣを介して緊急呼び出しセンターＥＣに伝達される。ゲートウェイＧＭＳＣでは、前にパケットオリエンテッド伝達されたデータの、コネクションオリエンテッド伝送プロトコルに従ったデータへの変換が行われる。簡単に説明した手法に対して択一的に、緊急呼び出し情報を別のゲートウェイＧＧＳＮおよびパケットデータネットワークＰＤＮを介して緊急呼び出しセンターＥＣに伝達することも可能である。その際データの、伝送プロトコルにより規定される変換は必要でない。
【００１６】
任意選択的には、緊急呼び出し情報により、助けを求める人ＨＣ２の加入者ＴＳ２の空間位置も表されるようになっている。相応の位置情報は無線網のどのマイクロセル、ナノセルまたはピコセルに助けを求める人ＨＣ２がその時点で滞在しているかという知識からネットワークの側において、または例えばＧＰＳ伝達機および受信機を装備している加入者ＴＳ２の場合には加入者側において生成されかつ緊急呼び出し情報に付加される知識から得ることができる。緊急呼び出し情報によって付加的に、助けを求める人ＨＣ２を直接識別することもできるデータが緊急呼び出しセンターＥＣに伝送されると、これらデータに基づいて、例えば患者の症候群、病気の経過または不適合な薬品を格納しているデータ記録装置にアクセスしかつ医学的な補助措置に対する準備を簡単化しかつ殊に迅速化もすることができる。
【００１７】
緊急呼び出し情報の伝送に対して付加的に、助けを求める人ＨＣ２の加入者ＴＳ１，ＴＳ２にアナログの音声情報を記録し、これらをデータパケットに変換しかつ緊急呼び出しセンターＥＣに伝送するようにすることもできる。その際アナログの音声情報の伝送は例えば、ＶｏＩＰコネクション（Ｖｏｉｃｅ ｏｖｅｒ Ｉｎｔｅｒｎｅｔ Ｐｒｏｔｏｃｏｌ）を介してまたはサウンド・データファイル（ウェーヴ・データファイル）によって行うことができる。この形式の音声情報交換は助けを求める人ＨＣ１，ＨＣ２の加入者ＴＳ２から緊急呼び出しセンターＥＣに対して単方向に並びに緊急呼び出しセンターＥＣと加入者ＴＳ２との間で双方向に行うことができる。後者の場合、緊急呼び出しセンターＥＣにおいて記録されたアンログ音声情報はデジタルデータパケットに変換されかつ再生のためにパケットデータオリエンテッドに加入者ＴＳ１，ＴＳ２に送出されるべきである。
【００１８】
加入者ＴＳ２を用いて第２の無線セルＣ２から緊急呼び出しを送出する助けを求める人ＨＣ２に、第２の無線セルＣ２からは例えば単方向の緊急呼び出しコネクションまたは制限された音声品質を有する緊急呼び出しコネクションしか可能でないことを信号報知するために、助けを求める人ＨＣ２にネットワーク側で相応のシグナリングチャネルを介してユーザガイドの意味において選択されている無線セルにおいてはパケットオリエンテッドサービスしか行うことができないことが通報される。更に、第２の無線セルＣ２を特徴付ける緊急呼び出し情報を有しているないし加入者側で記録された音声情報を含んでいる緊急呼び出しデータパケットに、高められた伝達優先順位が割り当てられる。
【００１９】
図２に示されている無線通信システムの機能性および構成は基本的には、本発明が使用できる別の無線通信システム、殊に無線加入者接続部を備えている加入者アクセスネットワークに対しても適用可能である。従って本発明の方法の使用はここに説明した実施例に制限されていない。
【図面の簡単な説明】
【図１】コネクションオリエンテッドサービスだけが使用できる従来の無線システムを緊急呼び出しセンターと一緒に示す概略図である。
【図２】コネクションオリエンテッドサービスおよびパケットオリエンテッドサービスが使用できる無線システムを緊急呼び出しセンターと一緒に示す概略図である。
【国際公開パンフレット】
2004505574.tif 000003
2004505574.tif 000004
2004505574.tif 000005
2004505574.tif 000006
2004505574.tif 000007
2004505574.tif 000008
2004505574.tif 000009
2004505574.tif 000010
2004505574.tif 000011
2004505574.tif 000012
2004505574.tif 000013
2004505574.tif 000014
2004505574.tif 000015
2004505574.tif 000016
【国際調査報告】
2004505574.tif 000017
2004505574.tif 000018
2004505574.tif 000019
2004505574.tif 000020
2004505574.tif 000021
2004505574.tif 000022